(57)【特許請求の範囲】
【請求項１】
長さ方向に沿って隣り合う笠木間に若干の間隔をあけることによって形成される目地部を覆うものであり、かつ前記隣り合う笠木の上面を覆う上面部と、この上面部の両端部に設けられるとともに前記隣り合う笠木の側面を覆う側面部とを有するカバー本体と、
このカバー本体の裏面に、前記笠木間の目地部の延在方向に沿って複数設けられるとともに、前記笠木間の目地部に差し込まれる第１および第２突条部とを備え、
これらカバー本体と、第１および第２突条部は、一体的に形成されるとともに、弾力性を有し、
前記第１突条部は前記側面部の裏面および上面部の裏面に設けられ、
前記第２突条部は前記上面部の裏面に設けられ、
前記第１および第２突条部は互いに間隔をあけて断続的に配置され、これら第１および第２突条部のうち前記上面部の裏面に設けられる第１突条部および第２突条部は交互に配置され、
前記第１突条部の先端に、前記笠木間の目地部の延在方向に直交する方向に突出して、前記隣り合う笠木の双方の端部の裏面に当接する突出部が設けられ、
前記第２突条部が、前記隣り合う笠木の双方の端部の裏面に当接しない状態で前記目地部を埋めるように構成された笠木ジョイントカバーを用いて、長さ方向に沿って隣り合う笠木同士を接続してなる笠木の接続構造であって、
前記笠木は手摺壁の上端面に設置され、
前記手摺壁の上端面には、前記隣り合う笠木間の目地部の下方に位置する箇所に、前記笠木の内周面に沿うような門型形状に形成された水切り部材が設けられており、
前記笠木ジョイントカバーは、前記第１および第２突条部を、前記隣り合う笠木間の目地部に差し込むとともに、前記第１突条部の突出部を、前記隣り合う笠木の双方の端部の裏面に当接させるようにして、前記隣り合う笠木同士の接続部分に設けられており、
前記カバー本体の裏面と、前記隣り合う笠木の上面との間には、防水性および接着性を有するシール材が充填されていることを特徴とする笠木の接続構造。
【請求項２】
請求項１に記載の笠木の接続構造において、
前記側面部の下端部には、これら側面部の下端部から折り返すようにして内方に突出することによって、前記隣り合う笠木の両側面の下端部に係止する折り返し部がそれぞれ設けられていることを特徴とする笠木の接続構造。
【請求項３】
請求項１または２に記載の笠木の接続構造において、
前記折り返し部は、前記隣り合う笠木のうち、一方の笠木の側面の下端部に係止する第１折り返し片と、他方の笠木の側面の下端部に係止する第２折り返し片とからなり、
これら第１係止片と第２係止片は、互いに間隔をあけて配置されていることを特徴とする笠木の接続構造。
【発明の詳細な説明】
【技術分野】
【０００１】
本発明は、長さ方向に沿って隣り合う笠木同士を接続する笠木ジョイントカバーを用いて、長さ方向に沿って隣り合う笠木同士を接続する笠木の接続構造に関する。
【背景技術】
【０００２】
従来、バルコニー等に形成される手摺壁の上端面には、長さ方向に沿って隣り合う複数の笠木が設けられており、これら複数の笠木間には、これら複数の笠木間の目地部の防水性を向上させるため、この目地部を覆う継目カバーが取り付けられている（例えば、特許文献１参照）。また、隣り合う笠木間の目地部は、これら隣り合う笠木間に適宜間隔を空けることによって形成されている。
【特許文献１】特開平１１−０９３３５７号公報
【発明の開示】
【発明が解決しようとする課題】
【０００３】
ところで、例えば風圧や、人や物による接触等の外力により、目地部を設けた分だけ笠木が位置ずれしてしまう場合がある。この時、位置ずれした笠木の一方の端部と、隣り合う一方の笠木の端部とがぶつかり合うことによって、これら笠木間の目地部が閉塞されてしまうとともに、位置ずれした笠木の他方の端部と、隣り合う他方の笠木の端部との間に大きな隙間が形成されてしまう場合がある。そして、このような大きな隙間が、上述のような継目カバーで覆うことができる範囲よりも大きなものであった場合、継目カバーによって雨水等を防ぐことができないので、好ましくない。
【０００４】
一方、隣り合う笠木同士が施工誤差によって、隣り合う笠木のそれぞれの上面の高さ位置が異なり、目地部を境に段差が生じてしまう場合があるが、特許文献１のような継目カバーでは、この施工誤差を吸収しきれないという場合がある。すなわち、特許文献１の継目カバーは、この継目カバーの両端部の係止爪を、笠木の側面に形成された段部に係合することで、笠木に取り付けられている。また、この継目カバーの裏面には、継目カバーと笠木とを離隔させる弾性体が設けられている。したがって、特許文献１の継目カバーでは、上述のような施工誤差が生じてしまうと、係止爪を段部に係合できない場合があり、無理に係合させたとしてもすぐに外れてしまう場合があった。
【０００５】
本発明の課題は、笠木の位置ずれを確実に防ぐことができるとともに、隣り合う笠木間の施工誤差を確実に吸収できる笠木の接続構造を提供することを目的とする。
【課題を解決するための手段】
【０００６】
請求項１に記載の発明は、例えば図１〜図７に示すように、長さ方向に沿って隣り合う笠木２，２間に若干の間隔をあけることによって形成される目地部２ａを覆うものであり、かつ前記隣り合う笠木２，２の上面を覆う上面部１１と、この上面部１１の両端部に設けられるとともに前記隣り合う笠木２，２の側面を覆う側面部１２とを有するカバー本体１０と、
このカバー本体１０の裏面に、前記笠木２，２間の目地部２ａの延在方向に沿って複数設けられるとともに、前記笠木２，２間の目地部２ａに差し込まれる第１および第２突条部２０，３０とを備え、
これらカバー本体１０と、第１および第２突条部２０，３０は、一体的に形成されるとともに、弾力性を有し、
前記第１突条部２０は前記側面部１２の裏面および上面部１１の裏面に設けられ、
前記第２突条部３０は前記上面部１２の裏面に設けられ、
前記第１および第２突条部２０，３０は互いに間隔をあけて断続的に配置され、これら第１および第２突条部のうち前記上面部１１の裏面に設けられる第１突条部２０および第２突条部３０は交互に配置され、
前記第１突条部２０の先端に、前記笠木２，２間の目地部２ａの延在方向に直交する方向に突出して、前記隣り合う笠木２，２の双方の端部の裏面に当接する突出部２１が設けられ、
前記第２突条部３０が、前記隣り合う笠木２，２の双方の端部の裏面に当接しない状態で前記目地部２ａを埋めるように構成された笠木ジョイントカバー１を用いて、長さ方向に沿って隣り合う笠木２，２同士を接続してなる笠木２の接続構造であって、
前記笠木２は手摺壁３の上端面に設置され、
前記手摺壁３の上端面には、前記隣り合う笠木２，２間の目地部２ａの下方に位置する箇所に、前記笠木２の内周面に沿うような門型形状に形成された水切り部材５が設けられており、
前記笠木ジョイントカバー１は、前記第１および第２突条部２０，３０を、前記隣り合う笠木２，２間の目地部２ａに差し込むとともに、前記第１突条部２０の突出部２１を、前記隣り合う笠木２，２の双方の端部の裏面に当接させるようにして、前記隣り合う笠木２，２同士の接続部分に設けられており、
前記カバー本体１０の裏面と、前記隣り合う笠木２，２の上面との間には、防水性および接着性を有するシール材６が充填されていることを特徴とする。
【０００７】
請求項１に記載の発明によれば、前記第１突条部２０の先端に、前記笠木２，２間の目地部２ａの延在方向に直交する方向に突出して、前記隣り合う笠木２，２の双方の端部の裏面に当接する突出部２１が設けられていることから、前記カバー本体１０によって前記隣り合う笠木２，２間の目地部２ａを覆いながら、このカバー本体１０の裏面と前記第１突条部２０の突出部２１とによって、前記隣り合う笠木２，２の双方の端部を挟み込むことができるので、前記笠木ジョイントカバー１によって前記隣り合う笠木２，２同士を接続することができる。その上、このように前記第１突条部２０の突出部２１が、前記隣り合う笠木２，２の双方の端部の裏面に当接するので、この突出部２１が前記笠木２，２の端部の裏面に引っ掛かった状態となり、前記笠木ジョイントカバー１を、前記隣り合う笠木２，２間の目地部２ａから外れにくくすることができる。
また、前記第１および第２突条部２０，３０が、前記隣り合う笠木２，２間の目地部２ａに差し込まれるので、これら第１および第２突条部２０，３０によって、前記隣り合う笠木２，２間の目地部２ａを埋めることができるとともに、前記隣り合う笠木２，２同士の間隔を適当な寸法に保持できる。これによって、外力等によって笠木２が位置ずれを起こしてしまうことを確実に防ぐことができるので、隣り合う笠木２，２間に大きな隙間が形成されることを確実に防ぐことができる。
さらに、前記第１および第２突条部２０，３０は、互いに間隔をあけて断続的に配置されているので、前記笠木２，２間の目地部２ａの延在方向に沿って設けられる第１および第２突条部２０，３０間には、隙間が形成されていることとなる。これによって、前記第１および第２突条部２０，３０を、前記カバー本体１０の裏面に、前記笠木２，２間の目地部２ａの延在方向にわたって設ける必要がないので、製造に係るコストを低減できる。さらに、形状の異なる第１および第２突条部２０，３０同士を切り離して形成できるので、形状の異なる第１および第２突条部２０，３０同士を連続させて形成する場合に比して、格段に製造しやすい。
また、前記カバー本体１０と、前記第１および第２突条部２０，３０は、一体的に形成されるとともに、弾力性を有しているので、例えば隣り合う笠木２，２間に段差が生じてしまうような施工誤差が生じた場合であっても、この施工誤差に合わせて前記カバー本体２０と、前記第１および第２突条部２０，３０を変形させることができ、施工誤差を確実に吸収することができる。
しかも、このように前記カバー本体１０と、前記第１および第２突条部２０，３０は、一体的に形成されるとともに、弾力性を有しており、前記第１および第２突条部２０，３０は、互いに間隔をあけて断続的に配置されていることから、前記カバー本体１０を広げるようにして変形させることができるので、前記笠木ジョイントカバー１を、前記隣り合う笠木２，２同士の接続部分に取り付ける際に取り付けやすい。
また、前記カバー本体１０は、前記隣り合う笠木２，２の上面を覆う上面部１１と、この上面部１１の両端部に設けられるとともに、前記隣り合う笠木２，２の側面を覆う側面部１２とを備えているので、このカバー本体１０によって、前記隣り合う笠木２，２間の目地部２ａを確実に覆い隠すことができる。
また、前記上面部１１の裏面に設けられる第１突条部２０および第２突条部３０は、交互に配置されているので、前記上面部１１に対し、前記第１突条部２０が固まって配置されていたり、前記第２突条部３０が固まって配置されていたり等の偏りがない状態で配置できる。したがって、前記上面部１１に設けられた第１突条部２０を、前記隣り合う笠木２，２の上面端部間の目地部２ａに差し込むことによって、前記カバー本体１０の上面部１１を、前記隣り合う笠木２，２同士の上面に確実に取り付けできる。しかも、前記上面部１１に設けられた第１および第２突条部２０，３０を、前記隣り合う笠木２，２の上面端部間の目地部２ａに差し込むことによって、この隣り合う笠木２，２の上面端部間の目地部２ａを埋めることができるとともに、前記隣り合う笠木２，２同士の間隔を適当な寸法に保持できる。
さらに、前記側面部１２の裏面には、前記第１突条部２０が設けられているので、これら第１突条部２０を、前記隣り合う笠木２，２の側面端部間の目地部２ａに差し込むことによって、前記カバー本体１０の側面部１２を、前記隣り合う笠木２，２同士の側面に確実に取り付けできる。しかも、この第１突条部２０を、前記隣り合う笠木２，２の側面端部間の目地部２ａに差し込むことによって、この隣り合う笠木２，２の側面端部間の目地部２ａを埋めることができるとともに、前記隣り合う笠木２，２同士の間隔を適当な寸法に保持できる。
また、前記カバー本体１０の裏面と、前記隣り合う笠木２，２の上面との間には、防水性および接着性を有するシール材６が充填されているので、このシール材６によって、前記カバー本体１０の裏面と、前記隣り合う笠木２，２の上面とを接着できるとともに、前記隣り合う笠木２，２間における防水性を高めることができる。さらに、このように前記カバー本体１０の裏面と、前記隣り合う笠木２，２の上面とが接着されるので、前記隣り合う笠木２，２の一方が動いた場合であっても、前記カバー本体１０が、この笠木２の動きに合わせて変形し、笠木ジョイントカバー１自体がさらに外れにくくなる。
【００１０】
請求項２に記載の発明は、例えば図１および図７に示すように、請求項１に記載の笠木の接続構造において、
前記側面部１２の下端部には、これら側面部１２の下端部から折り返すようにして内方に突出することによって、前記隣り合う笠木２，２の両側面の下端部に係止する折り返し部１３がそれぞれ設けられていることを特徴とする。
【００１１】
請求項２に記載の発明によれば、前記側面部１２の下端部には、これら側面部１２の下端部から折り返すようにして内方に突出することによって、前記隣り合う笠木２，２の両側面の下端部に係止する折り返し部１３がそれぞれ設けられているので、前記カバー本体１０を、前記隣り合う笠木２，２の端部に、これら隣り合う笠木２，２の両側面を巻き込むようにして取り付けできる。これによって、前記カバー本体１０の側面部１２の下端部が、前記隣り合う笠木２，２の両側面の下端部に引っ掛かることとなるので、前記カバー本体１０の取付状態を向上させることができる。
【００１２】
請求項３に記載の発明は、例えば図１および図７に示すように、請求項１または２に記載の笠木の接続構造において、
前記折り返し部１３は、前記隣り合う笠木２，２のうち、一方の笠木２の側面の下端部に係止する第１折り返し片１３ａと、他方の笠木２の側面の下端部に係止する第２折り返し片１３ｂとからなり、
これら第１係止片１３ａと第２係止片１３ｂは、互いに間隔をあけて配置されていることを特徴とする。
【００１３】
請求項３に記載の発明によれば、前記第１係止片１３ａと第２係止片１３ｂは、互いに間隔をあけて配置されているので、これら第１係止片１３ａと第２係止片１３ｂとの間に隙間を形成することができる。これによって、前記隣り合う笠木２，２間の目地部２ａから雨水等が浸入した際に、前記カバー本体１０の裏面を伝って流れる雨水等を、前記第１および第２係止片１３ａ，１３ｂ間の隙間から容易に排出することができる。
【発明の効果】
【００１６】
本発明によれば、カバー本体の裏面に設けられる第１突条部の先端に、隣り合う笠木間の目地部の延在方向に直交する方向に突出して、隣り合う笠木の双方の端部の裏面に当接する突出部が設けられていることから、カバー本体によって隣り合う笠木間の目地部を覆いながら、このカバー本体の裏面と第１突条部の突出部とによって、隣り合う笠木の双方の端部を挟み込むことができるので、笠木ジョイントカバーによって隣り合う笠木同士を接続することができる。その上、このように第１突条部の突出部が、隣り合う笠木の双方の端部の裏面に当接するので、この突出部が笠木の端部の裏面に引っ掛かった状態となり、笠木ジョイントカバーを、隣り合う笠木間の目地部から外れにくくすることができる。
また、カバー本体の裏面に設けられる第１および第２突条部が、隣り合う笠木間の目地部に差し込まれるので、これら第１および第２突条部によって、隣り合う笠木間の隙間を埋めることができるとともに、隣り合う笠木同士の間隔を適当な寸法に保持できる。これによって、外力等によって笠木が位置ずれを起こしてしまうことを確実に防ぐことができるので、隣り合う笠木間に大きな隙間が形成されることを確実に防ぐことができる。
さらに、第１および第２突条部は、互いに間隔をあけて断続的に配置されているので、笠木間の目地部の延在方向に沿って設けられる第１および第２突条部間には、隙間が形成されていることとなる。これによって、第１および第２突条部を、カバー本体の裏面に、笠木間の目地部の延在方向にわたって設ける必要がないので、製造に係るコストを低減できる。さらに、形状の異なる第１および第２突条部同士を切り離して形成できるので、形状の異なる第１および第２突条部同士を連続させて形成する場合に比して、格段に製造しやすい。
また、カバー本体と、第１および第２突条部は、一体的に形成されるとともに、弾力性を有しているので、例えば隣り合う笠木間に段差が生じてしまうような施工誤差が生じた場合であっても、この施工誤差に合わせてカバー本体と、第１および第２突条部を変形させることができ、施工誤差を確実に吸収することができる。
しかも、このようにカバー本体と、第１および第２突条部は、一体的に形成されるとともに、弾力性を有しており、これら第１および第２突条部は、互いに間隔をあけて断続的に配置されていることから、カバー本体を広げるようにして変形させることができるので、笠木ジョイントカバーを、隣り合う笠木同士の接続部分に取り付ける際に取り付けやすい。
【発明を実施するための最良の形態】
【００１７】
以下、図面を参照して本発明の実施の形態について説明する。
【００１８】
本実施の形態の笠木ジョイントカバー１は、図１〜図７に示すように、長さ方向に沿って隣り合う笠木２，２同士を接続するものであり、前記隣り合う笠木２，２間に、若干の間隔をあけることによって形成される目地部２ａを覆うカバー本体１０と、このカバー本体１０の裏面に、前記笠木２，２間の目地部２ａの延在方向に沿って複数設けられるとともに、前記笠木２，２間の目地部２ａに差し込まれる第１および第２突条部２０，３０とを備えている。
これらカバー本体１０と、第１および第２突条部２０，３０は、一体的に形成されるとともに、弾力性を有している。また、前記第１および第２突条部２０，３０は、互いに間隔をあけて断続的に配置されている。
さらに、前記第１突条部２０の先端には、前記笠木２，２間の目地部２ａの延在方向に直交する方向に突出して、前記隣り合う笠木２，２の双方の端部の裏面に当接する突出部２１が設けられている。
【００１９】
前記笠木２は、例えばアルミニウム等の押出成形品であり、図４および図５に示すように、バルコニー等の周囲を囲むようにして形成される手摺壁３の上端面に設置されるものである。また、複数の笠木２を長さ方向に沿って隣り合わせるようにして、前記手摺壁３の上端面に設置されている。
なお、本実施の形態の笠木２としては、手摺壁３の形状に合わせて、コーナ用に平面視略Ｌ字状に形成されたものと、直線状のものとが用いられている。
【００２０】
また、これら隣り合う笠木２，２間の目地部２ａは、これら隣り合う笠木２，２間に、若干の隙間をあけることによって形成されるものである。
そして、このように隣り合う笠木２，２間に目地部２ａを形成することによって、前記笠木２に、例えば温度変化等による伸縮等の変形が生じた場合であっても、この伸縮等の変形を吸収できるようになっている。
【００２１】
ここで、前記隣り合う笠木２，２間の目地部２ａにおける、若干とは、少なくとも前記第１突条部２０および第２突条部３０が差込可能であるとともに、前記突出部よりも幅狭な寸法を指している。
【００２２】
また、これら笠木２，２は、前記手摺壁３の上端面に設置された複数の笠木受け材４を介して前記手摺壁３の上端面に設置されている。なお、図示はしないが、前記笠木２は、この笠木２の裏面に、前記笠木受け材４に係合する係合部を備えている。したがって、前記笠木２は、この笠木２と前記笠木受け材４とを確実に係合することによって、前記手摺壁３の上端面に確実かつ強固に設置することができる。
【００２３】
また、前記手摺壁３の上端面には、前記隣り合う笠木２，２間の目地部２ａの下方に位置する箇所に、水切り部材５が設けられている。
この水切り部材５は、前記笠木２の内周面に沿うような門型形状に形成されており、例えば前記目地部２ａから雨水等が浸入した際に、この雨水等が、前記手摺壁３の上端面に到達することを防ぐことができる。
【００２４】
一方、本実施の形態の笠木ジョイントカバー１のカバー本体１０は、図１，図５および図６に示すように、前記隣り合う笠木２，２間に、若干の間隔をあけることによって形成される目地部２ａを覆うものであり、前記隣り合う笠木２，２の上面を覆う上面部１１と、この上面部１１の両端部に設けられるとともに、前記隣り合う笠木２，２の側面を覆う側面部１２とを備えている。
また、前記カバー本体１０は、図１に示すように、前記上面部１１から側面部１２にかけて複数箇所が折曲形成されている。これら折曲部１０ａの表面は、丸みを帯びている。
【００２５】
また、前記第１突条部２０は、上述のように、前記笠木２，２間の目地部２ａに差し込まれるものであり、この第１突条部２０の先端には、図１および図２に示すように、前記笠木２，２間の目地部２ａの延在方向に直交する方向に突出して、前記隣り合う笠木２，２の双方の端部の裏面に当接する突出部２１が設けられている。
【００２６】
これら突出部２１が設けられた第１突条部２０は、図２に示すように、先端部が先細状に形成されており、この先端部の両側面から前記突出部２１が、双方に突出するようにして設けられることによって断面矢印状に形成されている。
また、前記突出部２１は、斜め上方に向かって突出し、突出方向先端に進むにつれて細くなるように形成されている。
【００２７】
このような突出部２１が設けられた第１突条部２０は、前記隣り合う笠木２，２間の目地部２ａの上方から、前記突出部２１が、前記目地部２ａを通り抜けて、前記隣り合う笠木２，２の双方の端部の裏面に当接するまで差し込まれる。
この時、前記突出部２１は、これら突出部２１の付け根から折れ曲がり、前記目地部２ａを通り抜けられるまで弾性変形しており、前記目地部２ａを通り抜けた後に、元の形状に弾性復帰するようになっている。
また、このように弾性復帰した時点で、これら突出部２１の突出方向先端が、前記隣り合う笠木２，２の双方の端部の裏面に当接することとなる。
【００２８】
そして、前記第１突条部２０の先端に、前記突出部２１が設けられているので、前記カバー本体１０によって前記隣り合う笠木２，２間の目地部２ａを覆いながら、このカバー本体１０の裏面と前記第１突条部２０の突出部２１とによって、前記隣り合う笠木２，２の双方の端部を挟み込むことができる。
その上、このように前記第１突条部２０の突出部２１が、前記隣り合う笠木２，２の双方の端部の裏面に当接するので、この突出部２１が前記笠木２，２の端部の裏面に引っ掛かった状態となる。
さらに、このような第１突条部２０は、前記隣り合う笠木２，２間の目地部２ａに差し込まれるので、これら第１突条部２０によって、前記隣り合う笠木２，２間の目地部２ａを埋めることができるとともに、前記隣り合う笠木２，２同士の間隔を適当な寸法に保持できる。
【００２９】
また、前記第２突条部３０は、前記笠木２，２間の目地部２ａに差し込まれるものであり、図１および図３に示すように、前記カバー本体１０の裏面から凸型に突出するようにして形成されている。
このような第２突条部３０は、前記隣り合う笠木２，２間の目地部２ａに差し込まれるので、これら第１および第２突条部３０によって、前記隣り合う笠木２，２間の目地部２ａを埋めることができるとともに、前記隣り合う笠木２，２同士の間隔を適当な寸法に保持できる。
【００３０】
そして、これら第１および第２突条部２０，３０は、前記カバー本体１０の裏面に、互いに間隔をあけて断続的に配置されている。すなわち、前記笠木２，２間の目地部２ａの延在方向に沿って設けられる第１および第２突条部２０，３０間には、隙間が形成されていることとなる。
さらに、前記第１および第２突条部２０，３０は、前記カバー本体１０の折曲部１０ａの箇所を避けて設けられている。すなわち、これら第１および第２突条部２０，３０間に形成される隙間は、前記カバー本体１０の折曲部１０ａの箇所に位置している。
【００３１】
このように、前記第１および第２突条部２０，３０は、互いに間隔をあけて断続的に配置されているので、前記第１および第２突条部２０，３０を、前記カバー本体１０の裏面に、前記笠木２，２間の目地部２ａの延在方向にわたって設ける必要がなくなり、製造に係るコストを低減できる。
さらに、形状の異なる第１および第２突条部２０，３０同士を切り離して形成できるので、形状の異なる第１および第２突条部２０，３０同士を連続させて形成する場合に比して、格段に製造しやすい。
【００３２】
なお、これら第１および第２突条部２０，３０の前記目地部２ａの延在方向に沿う長さ寸法は、適宜変更可能であり、第１突条部２０ごと、第２突条部３０ごとに異なる長さ寸法であってもよい。
【００３３】
また、図１に示すように、前記第１突条部２０は、前記側面部１２の裏面および上面部１１の裏面に設けられており、前記第２突条部３０は、少なくとも前記上面部１２の裏面に設けられている。
また、前記上面部１２の裏面に設けられる第１突条部２０および第２突条部３０は、交互に配置されている。
【００３４】
すなわち、前記上面部１１の裏面に設けられる第１突条部２０および第２突条部３０は、交互に配置されているので、前記上面部１１に対し、前記第１突条部２０が固まって配置されていたり、前記第２突条部３０が固まって配置されていたり等の偏りがない状態で配置できる。
したがって、前記上面部１１に設けられた第１突条部２０を、前記隣り合う笠木２，２の上面端部間の目地部２ａに差し込むことによって、前記カバー本体１０の上面部１１を、前記隣り合う笠木２，２同士の上面に確実に取り付けできる。
しかも、前記上面部１１に設けられた第１および第２突条部２０，３０を、前記隣り合う笠木２，２の上面端部間の目地部２ａに差し込むことによって、この隣り合う笠木２，２の上面端部間の目地部２ａを埋めることができるとともに、前記隣り合う笠木２，２同士の間隔を適当な寸法に保持できる。
【００３５】
さらに、前記側面部１２の裏面に、前記第１突条部２０が設けられているので、これら第１突条部２０を、前記隣り合う笠木２，２の側面端部間の目地部２ａに差し込むことによって、前記カバー本体１０の側面部１２を、前記隣り合う笠木２，２同士の側面に確実に取り付けできる。
しかも、この第１突条部２０を、前記隣り合う笠木２，２の側面端部間の目地部２ａに差し込むことによって、この隣り合う笠木２，２の側面端部間の目地部２ａを埋めることができるとともに、前記隣り合う笠木２，２同士の間隔を適当な寸法に保持できるようになっている。
【００３６】
また、以上のようなカバー本体１０と、第１および第２突条部２０，３０は、上述のように、一体的に形成されるとともに、弾力性を有している。なお、材質としては、例えばソフトアクリル等の軟質で弾力性の高い樹脂材料が用いられている。ただし、これに限るものではない。
そして、このように前記カバー本体１０と、前記第１および第２突条部２０，３０は、一体的に形成されるとともに、弾力性を有しているので、例えば隣り合う笠木２，２間に段差が生じてしまうような施工誤差が生じた場合であっても、図６に示すように、この施工誤差に合わせて前記カバー本体２０と、前記第１および第２突条部２０，３０を変形させることができる。
【００３７】
一方、前記カバー本体１０の双方の側面部１２の下端部には、図１および図７に示すように、これら側面部１２の下端部から折り返すようにして内方に突出することによって、前記隣り合う笠木２，２の両側面の下端部に係止する折り返し部１３がそれぞれ設けられている。
また、この折り返し部１３は、図１に示すように、前記カバー本体の双方の側端部１２の下端部から水平方向に沿って前記カバー本体１０の内部側に突出する部分と、このカバー本体１０の内部側に突出する部分の突出方向先端から上方に突出する部分とで構成されている。
【００３８】
そして、このような折り返し部１３は、前記カバー本体の双方の側端部１２の下端部と、この下端部から水平方向に沿って前記カバー本体１０の内部側に突出する部分と、このカバー本体１０の内部側に突出する部分の突出方向先端から上方に突出する部分とによって、前記隣り合う笠木２，２の両側面を巻き込むようにして、これら両側面の下端部に引っ掛けられることとなる。これによって、前記カバー本体１０の取付状態を向上させることができるようになっている。
【００３９】
また、前記折り返し部１３は、図７に示すように、前記隣り合う笠木２，２のうち、一方の笠木２の側面の下端部に係止する第１折り返し片１３ａと、他方の笠木２の側面の下端部に係止する第２折り返し片１３ｂとからなり、これら第１係止片１３ａと第２係止片１３ｂは、互いに間隔をあけて配置されている。
すなわち、これら第１係止片１３ａと第２係止片１３ｂとの間に隙間を形成することができる。これによって、前記隣り合う笠木２，２間の目地部２ａから雨水等が浸入した際に、前記カバー本体１０の裏面を伝って流れる雨水等を、前記第１および第２係止片１３ａ，１３ｂ間の隙間から容易に排出することができる。
【００４０】
また、このように前記第１および第２係止片１３ａ，１３ｂ間の隙間から排出される雨水等は、前記水切り部材５によって、前記手摺壁３の上端面に到達することを防ぐことができるようになっている。
【００４１】
なお、前記第１突条部２０は、この折り返し部１３の箇所も避けて設けられている。すなわち、この折り返し部１３と、前記カバー本体１０の側面部１２の裏面に設けられる第１突条部２０との間には隙間が形成されていることとなる。
これによって、前記第１および第２突条部２０，３０を、前記カバー本体１０の裏面に、前記笠木２，２間の目地部２ａの延在方向にわたって設ける必要がなくなり、より製造に係るコストを低減できる。さらに、前記第１突条部２０および折り返し部１３同士を切り離して形成できるので、これら第１突条部２０および折り返し部１３同士を連続させて形成する場合に比して、格段に製造しやすい。
【００４２】
以上のような本実施の形態の笠木ジョイントカバー１によれば、前記第１突条部２０の先端に、前記笠木２，２間の目地部２ａの延在方向に直交する方向に突出して、前記隣り合う笠木２，２の双方の端部の裏面に当接する突出部２１が設けられていることから、前記カバー本体１０によって前記隣り合う笠木２，２間の目地部２ａを覆いながら、このカバー本体１０の裏面と前記第１突条部２０の突出部２１とによって、前記隣り合う笠木２，２の双方の端部を挟み込むことができるので、前記笠木ジョイントカバー１によって前記隣り合う笠木２，２同士を接続することができる。
その上、このように前記第１突条部２０の突出部２１が、前記隣り合う笠木２，２の双方の端部の裏面に当接するので、この突出部２１が前記笠木２，２の端部の裏面に引っ掛かった状態となり、前記笠木ジョイントカバー１を、前記隣り合う笠木２，２間の目地部２ａから外れにくくすることができる。
また、前記第１および第２突条部２０，３０が、前記隣り合う笠木２，２間の目地部２ａに差し込まれるので、これら第１および第２突条部２０，３０によって、前記隣り合う笠木２，２間の目地部２ａを埋めることができるとともに、前記隣り合う笠木２，２同士の間隔を適当な寸法に保持できる。これによって、外力等によって笠木２が位置ずれを起こしてしまうことを確実に防ぐことができるので、隣り合う笠木２，２間に大きな隙間が形成されることを確実に防ぐことができる。
さらに、前記第１および第２突条部２０，３０は、互いに間隔をあけて断続的に配置されているので、前記笠木２，２間の目地部２ａの延在方向に沿って設けられる第１および第２突条部２０，３０間には、隙間が形成されていることとなる。これによって、前記第１および第２突条部２０，３０を、前記カバー本体１０の裏面に、前記笠木２，２間の目地部２ａの延在方向にわたって設ける必要がないので、製造に係るコストを低減できる。さらに、形状の異なる第１および第２突条部２０，３０同士を切り離して形成できるので、形状の異なる第１および第２突条部２０，３０同士を連続させて形成する場合に比して、格段に製造しやすい。
また、前記カバー本体１０と、前記第１および第２突条部２０，３０は、一体的に形成されるとともに、弾力性を有しているので、例えば隣り合う笠木２，２間に段差が生じてしまうような施工誤差が生じた場合であっても、この施工誤差に合わせて前記カバー本体２０と、前記第１および第２突条部２０，３０を変形させることができ、施工誤差を確実に吸収することができる。
しかも、このように前記カバー本体１０と、前記第１および第２突条部２０，３０は、一体的に形成されるとともに、弾力性を有しており、前記第１および第２突条部２０，３０は、互いに間隔をあけて断続的に配置されていることから、前記カバー本体１０を広げるようにして変形させることができるので、前記笠木ジョイントカバー１を、前記隣り合う笠木２，２同士の接続部分に取り付ける際に取り付けやすい。
【００４３】
次に、以上のような笠木ジョイントカバー１を用いて、長さ方向に沿って隣り合う笠木２，２同士を接続する笠木２の接続構造について説明する。
【００４４】
前記笠木ジョイントカバー１は、図１〜図７に示すように、前記第１および第２突条部２０，３０を、前記隣り合う笠木２，２間の目地部２ａに差し込むとともに、前記第１突条部２０の突出部２１を、前記隣り合う笠木２，２の双方の端部の裏面に当接させるようにして、前記隣り合う笠木２，２同士の接続部分に設けられている。
また、前記折り返し部１３も、前記隣り合う笠木２，２の両側面の下端部に引っ掛けられている。
【００４５】
一方、前記カバー本体１０の裏面と、前記隣り合う笠木２，２の上面との間には、図４〜図６に示すように、防水性および接着性を有するシール材６が充填されている。
なお、本実施の形態のシール材６は、例えばコーキング材が用いられているが、これに限られるものではない。
また、前記シール材６としてコーキング材が用いられているので、このシール材６は、防水性および接着性に加えて、伸縮性を有していることとなる。
【００４６】
そして、このようなシール材６によって、前記カバー本体１０の裏面と、前記隣り合う笠木２，２の上面とを接着できるとともに、前記隣り合う笠木２，２間における防水性を高めることができる。
さらに、このように前記カバー本体１０の裏面と、前記隣り合う笠木２，２の上面とが接着されるので、前記隣り合う笠木２，２の一方が動いた場合であっても、前記カバー本体１０が、この笠木２の動きに合わせて変形し、笠木ジョイントカバー１自体がさらに外れにくくなる。
【図面の簡単な説明】
【００４７】
【図１】本発明の笠木ジョイントカバーを示す正面図である。
【図２】図１に示すＡ−Ａ線拡大断面図である。
【図３】図１に示すＢ−Ｂ線拡大断面図である。
【図４】図１に示す笠木ジョイントカバーの使用状態を示す斜視図である。
【図５】図１に示す笠木ジョイントカバーの取付前の状態および笠木の取付前の状態を示す斜視図である。
【図６】図１に示す笠木ジョイントカバーによって隣り合う笠木の施工誤差を吸収する状態を示す説明図である。
【図７】図１に示すＣ−Ｃ線断面図である。
【符号の説明】
【００４８】
１  笠木ジョイントカバー
２  笠木
２ａ  目地部
１０  カバー本体
２０  第１突条部
２１  突出部
３０  第２突条部
【図１】
0005331372.tif 000002
【図２】
0005331372.tif 000003
【図３】
0005331372.tif 000004
【図４】
0005331372.tif 000005
【図５】
0005331372.tif 000006
【図６】
0005331372.tif 000007
【図７】
0005331372.tif 000008